【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
流体調整システムであって、
流体調整器を制御するための圧力信号を発生させるために圧力供給を受け入れ動作可能な圧力キャビティと、
制御信号に従って励磁されるべく動作可能なワイヤ・コイルと、
前記ワイヤ・コイル中のエネルギーに応答して前記ワイヤ・コイルに対して可動である磁化可能要素であって、前記圧力信号を発生させるために前記要素の位置が前記圧力キャビティ内の圧力に影響を及ぼす磁化可能要素と、
前記圧力キャビティに結合され、前記磁化可能要素の前記位置によって前記圧力キャビティ内の前記圧力を感知動作可能であり、前記圧力を表す信号を発生動作可能な圧力センサであって、前記圧力キャビティ内の前記圧力は前記流体調整システムの第１感知パラメータを含む圧力センサと、
受信された命令信号に応答して前記制御信号を発生動作可能であり、前記圧力センサ信号と前記受信された命令信号とに基づいて前記制御信号を調節動作可能である、前記ワイヤ・コイルと前記圧力センサとに結合されたコントローラと、
を備えた電気−圧力変換器と、
前記流体調整システムの第２パラメータを感知動作可能であり、前記第２パラメータを表す信号を発生動作可能な第２センサと、
前記命令信号を発生動作可能であり、前記第２センサ信号に基づいて前記命令信号を調節動作可能である、前記電気−圧力変換器と前記第２センサとに結合されたプロセッサと
を備えた流体調整システム。
【請求項２】
前記コントローラは、前記圧力センサ信号と前記受信された命令信号とに基づいて前記制御信号を調節するために、前記圧力センサ信号と前記受信された命令信号との間の差を増幅動作可能である請求項１に記載のシステム。
【請求項３】
前記コントローラは高周波数ゲインを抑制することがさらに動作可能である請求項２に記載のシステム。
【請求項４】
前記電気−圧力変換器は、前記圧力センサ信号を前記命令信号フォーマットに変換動作可能なシグナル・コンディショナをさらに備えた請求項２に記載のシステム。
【請求項５】
前記圧力キャビティは、前記磁化可能要素の上に圧力を排出するオリフィスを有する圧力導管を備え、前記電気−圧力変換器はその周囲に前記ワイヤ・コイルが配置された磁気コアをさらに備え、前記磁化可能要素は前記ワイヤ・コイルの端部に近接して在り、前記圧力センサはピエゾ型センサを備える請求項１に記載のシステム。
【請求項６】
前記圧力センサは部分的に補正されている請求項１に記載のシステム。
【請求項７】
前記第２センサは、流体調整器構成要素の位置の決定動作可能な位置センサを備える請求項１に記載のシステム。
【請求項８】
前記流体調整システムの第３パラメータの感知動作可能であり該パラメータを表す信号の発生動作可能な第３センサをさらに備え、前記プロセッサは、前記第３センサに結合され、前記第２センサ信号と前記第３センサ信号とに基づいて前記命令信号を調節動作可能である請求項１に記載のシステム。
【請求項９】
前記プロセッサは、前記流体調整システムを調整するためのインストラクションの受信動作可能である請求項１に記載のシステム。
【請求項１０】
前記インストラクションは設定点を備える請求項９に記載のシステム。
【請求項１１】
前記コントローラは、前記プロセッサによってもたらされる制御の周波数応答よりもほぼ１０倍速い制御の周波数応答をもたらすように構成された請求項１に記載のシステム。
【請求項１２】
前記圧力信号は流体調整器要素を制御するように構成された請求項１に記載のシステム。
【請求項１３】
前記圧力信号は流体調整器要素の移動距離に対応する請求項１２に記載のシステム。
【請求項１４】
前記プロセッサおよびコントローラは別々のデバイスである請求項１に記載のシステム。
【請求項１５】
前記コントローラは、前記制御信号を発生させ且つ調節するために基本的にアナログ回路からなる請求項１４に記載のシステム。
【請求項１６】
受信された命令信号に基づいて制御信号を発生させるステップと、流体調整器を制御する圧力信号を発生させるために、その位置が圧力キャビティ内の圧力に影響を及ぼす磁化可能要素を前記制御信号に従ってワイヤ・コイルに対して移動させるステップと、前記流体調整システムの第１感知パラメータを含む前記圧力キャビティ内の前記圧力であって前記磁化可能要素の前記位置によって前記圧力キャビティ内の前記圧力を感知するステップと、前記感知された圧力と前記命令信号とに基づいて前記制御信号を調節するステップと、前記流体調整システムの第２パラメータを感知するステップと、前記第２パラメータに基づいて前記命令信号を調節するステップとを含む流体調整システムにおける流体調整のための方法。
【請求項１７】
前記感知された圧力と前記命令信号とに基づいて前記制御信号を調節するステップは、
前記感知された圧力を前記命令信号フォーマットに変換するステップと、
前記圧力信号と前記命令信号とを比較するステップと
前記信号間の差異を増幅するステップと、
を含む請求項１６に記載の方法。
【請求項１８】
前記増幅された差異の高周波数ゲインを減少させるステップをさらに含む請求項１７に記載の方法。
【請求項１９】
前記圧力信号と前記命令信号とを比較するステップは、前記命令信号から前記圧力信号を減ずるステップを含む請求項１７に記載の方法。
【請求項２０】
前記流体調整システムの第３パラメータを感知するステップと、
前記第２パラメータと前記第３パラメータに基づいて前記命令信号を調節するステップと、
をさらに含む請求項１６に記載の方法。
【請求項２１】
前記流体調整システムを調整するためにインストラクションを受信するステップをさらに含む請求項１６に記載の方法。
【請求項２２】
前記感知された圧力と前記命令信号とに基づいて前記制御信号を調節するステップは、前記第２パラメータに基づいて前記命令信号を調節することによってもたらされる制御の周波数応答よりも、ほぼ１０倍速い周波数応答で行なわれる請求項１６に記載の方法。
【請求項２３】
圧力制御信号を発生させるために空気圧供給を受け入れ動作可能なオリフィスを有する空気式供給ラインと、
制御信号に従って励磁動作可能であるワイヤ・コイルと、
前記オリフィスに近接した前記ワイヤ・コイルに対して可動であるニッケル−鉄合金要素であって、前記磁化可能要素は前記ワイヤ・コイル中のエネルギーに応答して可動であり、前記圧力制御信号を発生させるために前記要素の位置が圧力キャビティ内の空気圧に影響を及ぼす要素と、
前記圧力キャビティに結合された部分的に補正された圧力センサであって、前記圧力センサは、前記磁化可能要素の前記位置によって前記圧力キャビティの前記圧力を感知動作可能でありその圧力を表す信号を発生動作可能である圧力センサと、
前記圧力信号を命令信号フォーマットに変換動作可能であるシグナル・コンディショナと、
受信された命令信号に応答して前記制御信号を発生動作可能であり、
前記変換された圧力センサ信号と前記命令信号とに基づいて、前記変換された圧力センサ信号と前記受信された命令信号との間の差異を増幅し高周波数ゲインを抑制することによって前記制御信号を調節動作可能である、
前記ワイヤ・コイルと前記シグナル・コンディショナとに結合されたコントローラと、
を備えた電気−圧力変換器と、
流体調整器構成要素の位置の感知動作可能でありそれを表す信号を発生動作可能である位置センサと、
前記流体調整システムを調整するためにインストラクションを受信動作可能であり、
前記命令信号の発生動作可能であり、
前記位置センサ信号に基づいて前記命令信号を調節動作が可能である、
前記電気−圧力変換器と前記位置センサとに結合されたプロセッサであって、前記コントローラは、前記プロセッサによってもたらされる制御の周波数応答よりもほぼ１０倍速い制御の周波数応答をもたらすように構成されたプロセッサと、
を備えた流体調整のためのシステム。